(57)【要約】【課題】本発明の課題は一般に広く使われるために、容易に毛髪径を測定できる簡易毛髪径測定具及びその測定方法を提供することである。【解決手段】本発明の簡易毛髪径測定具１０は、板状部材１１に所定間隔で形成された複数の毛髪パターン１２と、毛髪パターン１２に対応して形成された表示部１３とを有してなる構成とした。【選択図】図１
2008183219.tif 000002
【特許請求の範囲】
【請求項１】
板状部材に所定間隔で形成された複数の毛髪パターンと、前記毛髪パターンに対応して形成された表示部とを有してなることを特徴とする簡易毛髪径測定具。
【請求項２】
前記毛髪パターンが、実寸の毛髪径に対応した線幅を有していることを特徴とする請求項１に記載の簡易毛髪径測定具。
【請求項３】
前記毛髪パターンが、種々の毛髪径に対応して複数の線幅を有していることを特徴とする請求項１又は請求項２に記載の簡易毛髪径測定具。
【請求項４】
前記板状部材に形成した複数の毛髪パターンと、頭部の毛髪とを目視比較することにより、毛髪の径を比較判断することを特徴とする毛髪径測定方法。
【発明の詳細な説明】
【技術分野】
【０００１】
本発明は、頭部に生えている毛髪径を簡単に目視確認可能な簡易毛髪径測定具及び毛髪径の測定方法に関する。
【背景技術】
【０００２】
かつらメーカや薬品業界等においては、頭部に生えている毛髪の径が細くなってきた患者に対して各種薬品（育毛剤等）を投与したり、その他の育毛処置を施して毛髪径を太くする試みがなされている。
【０００３】
このような試みに対し、個人差のある毛髪に対する各種薬品の効果を評価するためには、個々の毛髪の特性を測定することが大前提である。この毛髪の特性を測定する測定方法は種々あるが、その一つに毛髪の外径を測定する方法がある。
【０００４】
従来の毛髪の外径を測定する方法は、マイクロメータ等の測定器具を用いる方法、顕微鏡で拡大し視野内の目盛りを使用して測定する方法及び画像処理による方法が知られている。
【０００５】
しかし、これらの測定方法は、いずれの方法も毛髪を挟んで測定する測定方法であるため、毛髪の外径が真円でなければ正確な値が入手できなかった。
【０００６】
そこで、特許文献１では光学的測定方法により複数個所の毛髪を測定し、毛髪の断面積の平均値により、毛髪に対する各種薬品の効果を評価する測定方法が提供されている。
【特許文献１】特開２００３−１９４８０２号公報
【発明の開示】
【発明が解決しようとする課題】
【０００７】
しかし、特許文献１に記載されている毛髪径測定方法は、毛髪径を測定する装置が大型であり、また、測定者の熟練度が求められていた。よって、測定する際に手間がかかり、効果を評価する測定方法が容易ではなかった。
【０００８】
すなわち、ここでは毛髪径の正確な値を知ることも重要ではあるが、従前と比較して相対的に毛髪径が太くなったのか或いはならなかったのかを直ちに判別できることの要請が強い。
【０００９】
そこで、本発明の課題は、目視により容易に毛髪径を測定できる簡易毛髪径測定具及びその測定方法を提供することである。
【課題を解決するための手段】
【００１０】
本発明の簡易毛髪径測定具は板状部材に所定間隔で形成された複数の毛髪パターンと、上記毛髪パターンに対応して形成された表示部とを有してなる構成とした。
【００１１】
好ましくは、上記毛髪パターンが、実寸の毛髪径に対応した線幅を有している構成とした。
【００１２】
好ましくは、上記毛髪パターンが、種々の毛髪径に対応して複数の線幅を有している構成とした。
【００１３】
また、上記簡易毛髪径測定具を用いて上記板状部材に形成した複数の毛髪パターンと、頭部の毛髪とを目視比較することにより、毛髪の径を比較判断する測定方法を用いることとした。
【発明の効果】
【００１４】
本発明の簡易毛髪径測定具及び毛髪径の測定方法によれば、毛髪の径を目視にて容易に行うことができる。更には、持ち運びができ、例えば、診察記録に貼り付けたりすることができる。
【発明を実施するための最良の形態】
【００１５】
以下、本発明の実施の形態に係る簡易毛髪径測定具について、図を用いて説明を行う。
【００１６】
図１は、簡易毛髪径測定具を示した平面図である。図１において、簡易毛髪径測定具１０は、板状部材１１とこの板状部材１１に所定間隔で平行に描かれた複数の毛髪パターン１２と、この毛髪パターン１２に対応して夫々形成された表示部１３とで構成されている。毛髪パターン１２としては、実寸の毛髪径に対応した線幅が描かれている。また、表示部１３には、毛髪パターン１２の幅（太さ）の数値が示されている。
【００１７】
板状部材１１は、薄板の金属板、プラスチック等の樹脂、フィルム状やシート状の板及び紙などを使用して形成される。但し、これに限定されず、板状を形成し得る且つ板状に毛髪パターン１２を印字し得る部材であれば適用可能である。
【００１８】
毛髪パターン１２は、毛髪径を示す指標であり、１０μｍから１２０μｍの線幅を設けると良い。この線幅の範囲は一般的な人毛の太さの範囲であるが、場合によっては使用者の自毛に適応した範囲の線幅を設けると良い。図１においては、２０μｍから８０μｍの範囲で複数種類の毛髪パターン１２を表示している。
【００１９】
また、毛髪パターン１２は、毛髪径に対応した線幅に描き、かつ、一定間隔で直線状に板状部材１１へ描くようにすると良い。尚、図１においては、一定の間隔で横配列に描かれているが、これに限定されず縦配列に描いても良い。
【００２０】
また、この毛髪パターン１２の印字色は、黒や茶色の一般的な毛髪色でも良いが、通常有しない色（例えば、緑、蛍光色の赤）で印字すると良い。このように印字することで、毛髪の色との違いを出すことができ、見た目で直ちに判断しやすい。
【００２１】
次に、毛髪パターン１２の製作方法の説明を行う。製作方法は、従来から用いられている種々の方法で製作可能である。一例を示すと、電子回路パターンを製作する方法と同じ印刷技術が応用できる。すなわち、大きめの用紙に毛髪パターン１２を幅広に描画しておき、その毛髪パターン１２の描画を写真に撮って、現像時に毛髪パターン１２を必要線幅に縮小して現像することによって、毛髪径測定に必要な線幅に毛髪パターン１２を加工製作する方法である。
【００２２】
また、毛髪パターン１２の製作方法の他の例としては、レーザ装置から照射されるコヒーレント光を使用する方法がある。このコヒーレント光の光軸に対し、垂直にシリンドリカルレンズを配置して、板状部材１１に照射し、このコヒーレント光に照射された箇所を定められた線幅に蒸散させる方法がある。尚、この場合のレーザ装置は、パルスレーザ装置を用いると良い。
【００２３】
次に、簡易毛髪径測定具１０を用いた毛髪径の測定方法の説明を行う。測定方法は、各種薬品（育毛剤等）を使用している頭部の毛髪を一本取得して、取得した毛髪を板状部材１１に載置し、毛髪の径を毛髪パターン１２の線幅と目視比較し、取得した毛髪径がどの毛髪パターン１２の幅と近いか判断する方法である。
【００２４】
他の方法としては、毛髪パターン１２の真上に取得した毛髪を重ねる。これにより、毛髪の太さにより毛髪パターン１２が毛髪に隠されて見えない場合は、毛髪の径と毛髪パターン１２の線幅とが丁度同じか毛髪の方が太い場合である。
【００２５】
そこで、更に線幅が一段上の毛髪パターン１２の真上に取得した毛髪を重ねる。ここで、毛髪パターンがはみ出して見える場合は、毛髪よりも毛髪パターン１２の方が太いので、毛髪の径が細いと判断できる。
【００２６】
このようにして、毛髪の径と毛髪パターン１２の幅が近い方を毛髪径と判断することができる。この場合、必要なら虫眼鏡やルーペを用いて判断しても良い。
【００２７】
また、毛髪の径が毛髪パターン１２と一段上又は一段下の毛髪パターン１２との間の中間は、中間値として捉える。例えば、２０μｍと３０μｍの間の場合は、２５μｍと判断すると良い。これらの測定の結果を診察記録等として使用する場合は、日付を記載しておくと良い。
【００２８】
更に何日か経過した後に、同様の測定を行い育毛剤の毛髪への効果を測定し評価する。尚、本実施の形態では、毛髪を１本取得してその毛髪の径を測定するとしたが、これに限定されず、例えば、毛髪径測定具１０を頭皮に接触させて測定しても良い。
【００２９】
この方法によれば、頭部から毛髪を引き抜く必要がないので、患者にとっても測定の度に毛髪を１本ずつ引き抜かれて髪が薄くなるという不安から解消される。
【００３０】
（変形例）
図２は簡易毛髪径測定具１０の変形例を示した平面図である。図２において、簡易毛髪径測定具２０も板状部材２１と、板状部材２１に描かれた毛髪パターン２２と、毛髪パターン２２の幅を表示した表示部２３とから構成されている。
【００３１】
図２において、毛髪径測定器２０は板状部材２１に毛髪パターン２２を一定の間隔で横配列に上下二段で描かれている。このように毛髪パターン２２を板状部材２１に上下二段に描くことで、より多くの毛髪パターン２２を描くことができる。
【００３２】
本発明によれば、毛髪の径の測定を容易に行うことができ、目視で各種薬品の効果を評価することができる。
【図面の簡単な説明】
【００３３】
【図１】簡易毛髪径測定具を示した平面図
【図２】簡易毛髪径測定具の変形例を示した平面図
【符号の説明】
【００３４】
１０      簡易毛髪径測定具
１１      板状部材
１２      毛髪パターン
１３      表示部
２０      簡易毛髪径測定具
２１      板状部材
２２      毛髪パターン
２３      表示部
【図１】
2008183219.tif 000003
【図２】
2008183219.tif 000004